(57)【特許請求の範囲】
【請求項１】
前面に開口部を有し音響機器の左右両側にそれぞれ設けられた収納ボックスと、これらの収納ボックスの前記開口部を塞ぐ扉とを備えた収納家具であって、
前記扉の扉本体は、前記各収納ボックスの前記音響機器側の端部を支点として回動自在に支持され、前記音響機器の前面に対してほぼ直交する方向まで開けるよう構成されており、該扉本体は、前記収納ボックスの前記開口部を塞ぐメイン扉と、該メイン扉の戸先よりも前方向に移動自在に前記メイン扉に保持されるサブ扉とを備えていることを特徴とする収納家具。
【請求項２】
請求項１において、
前記サブ扉は、前記メイン扉の前記戸先側に回動自在に保持されることを特徴とする収納家具。
【請求項３】
前面に開口部を有し音響機器の左右両側にそれぞれ設けられた収納ボックスと、これらの収納ボックスの前記開口部を塞ぐ扉とを備えた収納家具であって、
前記扉の扉本体は、前記各収納ボックスの前記音響機器側の端部を支点として回動自在に支持され、前記音響機器の前面に対してほぼ直交する方向まで開けるよう構成されており、該扉本体は、表裏面に配される一対の板体と、該一対の板体の間に介在させた遮音シートとを備えていることを特徴とする収納家具。
【発明の詳細な説明】
【技術分野】
【０００１】
本発明は、前面に開口部を有し音響機器の左右両側にそれぞれ設けられた収納ボックスと、これらの収納ボックスの前記開口部を塞ぐ扉とを備えた収納家具に関する。
【背景技術】
【０００２】
従来より、テレビやオーディオ等の音響機器をリビング等の居室に設置する場合には、複数の収納ボックスを組み合わせた収納家具に収納されて設置されることが知られている。
例えば下記特許文献１には、上述のような収納家具に関し、収納部を少なくとも２つ有し、収納部の一方の前面開口に折りたたみ自在な扉を配し、側方の補助収納部に扉が収納自在とされているものが開示されている。
【先行技術文献】
【特許文献】
【０００３】
【特許文献１】実開平３−２９７４１２号公報
【発明の概要】
【発明が解決しようとする課題】
【０００４】
ところで、音響機器が発する音は拡がって伝わるので、例えば和室とつながったリビングに音響機器が設置されていると、和室に居る人には、その音がうるさく感じる場合がある。また例えばキッチンとつながったリビングに音響機器が設置されていると、キッチンでの作業音で音響機器が発する音が聞き取りにくくなり、音量を上げる要因となってしまう。そこで、音響機器が発する音を集音できる収納家具が求められる。
上記特許文献１に開示されている収納家具は、収納部に設けられた扉を邪魔にならないよう収容することができるが、音響機器が発する音を集音できる構造ではなかった。
【０００５】
本発明は、上記実情に鑑みなされたものであり、音響機器が発する音を集音することができる収納家具を提供することを目的としている。
【課題を解決するための手段】
【０００６】
前記目的を達成するために、本発明に係る収納家具は、前面に開口部を有し音響機器の左右両側にそれぞれ設けられた収納ボックスと、これらの収納ボックスの前記開口部を塞ぐ扉とを備えた収納家具であって、前記扉の扉本体は、前記各収納ボックスの前記音響機器側の端部を支点として回動自在に支持され、前記音響機器の前面に対してほぼ直交する方向まで開けるよう構成されており、該扉本体は、前記収納ボックスの前記開口部を塞ぐメイン扉と、該メイン扉の戸先よりも前方向に移動自在に前記メイン扉に保持されるサブ扉とを備えていることを特徴とする。
本発明においては、前記サブ扉は、前記メイン扉の前記戸先側に回動自在に保持されるようにしてもよい。
【０００７】
また、前記目的を達成するために、本発明に係る収納家具は、前面に開口部を有し音響機器の左右両側にそれぞれ設けられた収納ボックスと、これらの収納ボックスの前記開口部を塞ぐ扉とを備えた収納家具であって、前記扉の扉本体は、前記各収納ボックスの前記音響機器側の端部を支点として回動自在に支持され、前記音響機器の前面に対してほぼ直交する方向まで開けるよう構成されており、該扉本体は、表裏面に配される一対の板体と、該一対の板体の間に介在させた遮音シートとを備えていることを特徴とする。
【発明の効果】
【０００８】
本発明に係る収納家具は、上述のような構成としたことで、音響機器が発する音を集音することができる。
【図面の簡単な説明】
【０００９】
【図１】（ａ）、（ｂ）は本発明の一実施形態に係る収納家具の概略斜視図であり、（ａ）は同収納家具を構成する収納ボックスに設けられた扉本体を開状態にした図、（ｂ）は同収納ボックスに設けられた扉を閉状態にした図である。
【図２】同収納家具の模式的平面図であり、扉による集音効果を説明するための図である。
【図３】（ａ）、（ｂ）は同収納家具の変形例であり、（ａ）は収納ボックスに設けられた扉本体を開状態にした図、（ｂ）は同収納ボックスの扉本体を閉状態にした際の収納家具の模式的平面図である。
【図４】図３に示した収納家具の模式的平面図であり、扉による集音効果を説明するための図である。
【図５】（ａ）〜（ｃ）は扉本体の回動状態を説明するための模式的平面図である。
【発明を実施するための形態】
【００１０】
以下に本発明の実施の形態について、図面に基づいて説明する。
本実施形態に係る収納家具１は、前面に開口部２ａを有し音響機器１０の左右両側にそれぞれ設けられた収納ボックス２，２（以下、縦型フロアユニットという）と、これらの縦型フロアユニット２，２の開口部２ａ，２ａを塞ぐ扉２１，２１とを備えている。扉２１の扉本体２２は、各縦型フロアユニット２の音響機器１０（以下、テレビという）側の端部２５を支点として回動自在に支持され、テレビ１０の前面１０ａに対してほぼ直交する方向まで開けるよう構成されている。
以下、詳しく説明する。
【００１１】
まず、図１、図２に示す収納家具１について説明する。ここに示す収納家具１は、複数の箱型のユニット等を組み合わせてひとつの収納家具を構成している。収納家具１は、一対の縦型フロアユニット２，２と、横型フロアユニット４と、テレビ１０を壁掛け状態に設置できるオープンラック５と、オープンラック５及び縦型フロアユニット２，２の上に設置される上積みユニット３とを備えている。
横型フロアユニット４は、前面に開口部を有した横長の箱型直方体形状からなり、収納空間が複数に仕切られ、その収納空間には、前後に出し入れ自在に構成された引き出し４０，４０，４０が複数設けられている。
オープンラック５は、左右両側に設けられた側板５ａ，５ａと、天板５ｂと、背板５ｃとを有しており、前面と底面が開口部とされている。背板５ｃの中央部には、テレビ１０を壁掛け状態で設置できるよう取付部等が設けられている（不図示）。オープンラック５は、横型フロアユニット４の両側板間を跨るようにして設置されるため、オープンラック５の側板５ａが縦型フロアユニット２と横型フロアユニット４の間に挟まれた状態で床面に設置される（図１（ｂ）参照）。
上積みユニット３は、横長の箱型直方体形状からなり、収納空間が複数に仕切られ、その前面の開口部には、開閉自在に構成された扉３０，３０，３０…が複数設けられている。上積みユニット３は、縦型フロアユニット２の天板２０ｃ及びオープンラック５の天板５ｂの上に設置される。
【００１２】
なお、これら横型フロアユニット４、オープンラック５、上積みユニット３の形状、構成は図例に限定されない。例えば横型フロアユニット４や上積みユニット３は、収納空間がひとつずつにブロック化されたものを複数組み合わせて構成してもよいし、引き出し４０や扉３０に限定されず、横型フロアユニット４が扉タイプとしてもよいし、上積みユニット３が引き出しタイプであってもよい。また横型フロアユニット４及び上積みユニット３は前面が開口したオープンラックでもよい。さらにオープンラック５を備えず、テレビ１０は横型フロアユニット４の上面に設置するようにしてもよい。
【００１３】
縦型フロアユニット２は、縦長の箱型直方体形状のユニット本体２０と、開口部２ａを塞ぐ扉２１とを備えている。テレビ１０を挟んで左右両側に設置された一対の縦型フロアユニット２，２のそれぞれは、扉本体２２が回動する支点が左右で異なる以外は、同形状、同構成とされている。ユニット本体２０は、左右の側板２０ａ，２０ａと、背板２０ｂと、天板２０ｃと、底板（不図示）とを有している。ユニット本体２０の内部空間は収納空間とされ、ここではその収納空間が４つに仕切られた例を示している。ユニット本体２０の床面側となる最下段は引き出しタイプとされ前後の出し入れ自在に構成され、それ以外の収納空間は棚板２０ｄ（図１（ａ）参照）で仕切られている。そしてその棚板２０ｄで仕切られた収納空間の前面が開口部２ａとされ、この開口部２ａを塞ぐように扉２１が設けられている。
【００１４】
縦型フロアユニット２に設けられた扉２１は、図１（ａ）に示すように扉本体２２と、扉本体２２を回動自在に支持する蝶番２３…とを有している。扉本体２２は、木質系材料等からなる薄状の平板体とされている。扉本体２２の材料は、特に限定されないが、例えば無垢の木材、木質繊維材、木質集成材等としてもよい。
また扉本体２２は、方形の一枚の平板体からなるものとしてもよいし、遮音シートを設けて扉本体２２の遮音性を高めるようにしてもよい。遮音シートは、板体に貼り付けてもよいし、積層構造として遮音シートを介在させてもよい。図１（ａ）の部分拡大図に示した例は、扉本体２２が表裏面に配される一対の板体２６，２６と、一対の板体２６，２６の間に介在させた遮音シート２７とを備えている例を示している。遮音シート２７の材質は、特に限定されないが、オレフィン系、塩化ビニル系、アスファルト系等のシート体を用いることができる。
これによれば、扉本体２２による遮音性を向上させることができるので、テレビ１０の音を扉本体２２で遮音して音の拡がりを抑えることができる。また、上述のように遮音シート２７を一対の板体２６，２６で挟めば、遮音シート２７が外観上見えないので、扉本体２２の見栄えがよい。
【００１５】
扉２１の開閉方式は特に限定されないが、例えば扉本体２２を押せばバネ（不図示）が作用して開くプッシュラッチタイプとしてもよいし、扉本体２２の下端部に手掛け部（不図示）を設け、扉本体２２を手前に引いて開けるタイプとしてもよい。いずれにおいても、扉本体２２等を閉状態とすれば、図１（ｂ）に示すようにすっきりとした構成の収納家具１とすることができる。
【００１６】
蝶番２３…は、扉本体２２の大きさにあわせて複数取り付けられ、蝶番台座はユニット本体２０の側板２０ａに取り付けられる。
具体的には、扉本体２２は、各縦型フロアユニット２のテレビ１０側の端部２５を支点として回動自在に支持されるため、テレビ１０と対面した状態において左側の縦型フロアユニット２では、右側の側板２０ａに蝶番台座が取り付けられる。また、テレビ１０と対面した状態における右側の縦型フロアユニット２では、左側の側板（不図示）に蝶番台座が取り付けられる。このように蝶番２３…を取り付け、そこに扉本体２２を取り付ければ、扉本体２２を開状態としたとき、テレビ１０を挟んで両側に遮音壁となる扉本体２２を配置させることができる。
【００１７】
扉本体２２は、上述したようにテレビ１０の前面１０ａに対してほぼ直交する方向まで開けるよう構成されている。すなわち図２に示すように、扉本体２２は、蝶番台座が設けられた側板２０ａと扉本体２０とがほぼ直線になる位置、言い換えると、扉本体２２の開き角度ａが７５度〜１０５度くらいまで開けるように構成されている。
なお、ここでいう扉本体２２の開き角度ａとは、テレビ１０の前面１０ａと平面視において略平行となる縦型フロアユニット２のユニット本体２０の前面を基準とした角度をいう。
図２では、扉本体２２を閉状態とした場合のテレビ１０の音の拡がりをＬ１（点線）で示し、Ｚ１はこの場合（閉状態）の音の拡がる領域を概略的に示している。また図２では、扉本体２２を約９０度開状態としてテレビ１０の音を集音した場合をＬ２（２点鎖線）で示し、Ｚ２はこの場合（開状態）の音の拡がる領域を概略的に示している。
このＺ１とＺ２とを比較してもわかるように、テレビ１０の音が届く領域を例えば同じ居室内にあるキッチン方面にも拡げたい場合は、扉本体２２を閉状態（図１（ｂ）の状態）として使用すればよい。また逆にテレビ１０の音を例えばキッチン方面まで拡げたくない場合は、扉本体２２をその開き角度ａが９０度前後に開状態とすれば、テレビ１０の左右両側に配される扉本体２２が遮音壁となって、テレビ１０が発する音を集音することができる。
もちろん扉本体２２の開き角度は、図２以外にも０度〜例えば１０５度まで調整できるので、テレビ１０の音を聞きながら適宜集音状態を調節することができる。よって、例えば場面によっては、左右のいずれか片側の扉本体２２を開状態とし、他方の扉本体２２を閉状態としてもよい。
【００１８】
次に図３〜図５を参照しながら、収納家具１の変形例について説明する。
なお、以下では、図１、図２に示す収納家具１と異なる点を主に説明し、共通する箇所には共通の符号を付しその説明を省略する。
図３〜図５に示す変形例は、扉本体２２の構成が上述の例とは異なり、それ以外の例えば扉本体２２の取り付け位置等は上述の例と同様である。
扉本体２２は、縦型フロアユニット２の開口部２ａを塞ぐメイン扉２２Ａと、メイン扉２２Ａの戸先２２Ａａよりも前方向に移動自在にメイン扉２２Ａに保持されるサブ扉２２Ｂとを備えている。
メイン扉２２Ａ及びサブ扉２２Ｂを備えた扉本体２２は、上述の例と同様にその構成は特に限定されないが、図例では、一対の板体２６，２６と、それらの間に介在させた遮音シート２７とを備えた扉本体２２を示している。
【００１９】
サブ扉２２Ｂは上述のようにメイン扉２２Ａの戸先２２Ａａよりも前方向に移動自在に保持されていれば、そのサブ扉２２Ｂの保持構造は、特に限定されない。例えば図例のようにサブ扉２２Ｂは、メイン扉２２Ａの戸先２２Ａａ側に連結蝶番２４で回動自在に保持され、折り畳み自在とされる構造としてもよいし、メイン扉２２Ａの内側からサブ扉２２が引戸構造で設けられ、スライド自在に保持される構造としてもよい。以下では、折り畳み自在に保持された例について説明する。
図３（ａ）には、メイン扉２２Ａを開としサブ扉２２Ｂもテレビ１０の前面１０ａに対してほぼ直交する方向に開けた状態を示している。また図３（ｂ）には、メイン扉２２Ａもサブ扉２２Ｂも閉状態とした例を示しており、このときには、メイン扉２２Ａ及びサブ扉２２Ｂは、テレビ１０の前面１０ａに対して略平行となる。
【００２０】
このようにメイン扉２２Ａは、テレビ１０の前面１０ａに対してほぼ直交する方向まで開けるよう構成されている。すなわち上述の例の図２に示す扉本体２２と同様に、メイン扉２２Ａは、蝶番台座が設けられた側板２０ａとメイン扉２２Ａとがほぼ直線になる位置、言い換えると、メイン扉２２Ａの開き角度ｂが７５度〜１０５度程度まで開けるように構成されている。
なお、ここでいうメイン扉２２Ａの開き角度ｂとは、テレビ１０の前面１０ａと平面視において略平行となる縦型フロアユニット２のユニット本体２０の前面を基準とした角度をいう。
図４では、メイン扉２２Ａの開き角度ｂが約８０度とした場合のテレビ１０の音の拡がりをＬ３（点線）で示し、Ｚ３はこの場合の音の拡がる領域を概略的に示している。
またサブ扉２２Ｂは、メイン扉２２Ａの戸先２２Ａａよりも前方向に回動自在に連結されており、図４では、サブ扉２２Ｂの開き角度ｃが約１０５度とした場合を示し、Ｚ４はこの場合の音の拡がる領域を概略的に示している。
なお、ここでいうサブ扉２２Ｂの開き角度ｃは、テレビ１０の前面１０ａと平面視において略平行で且つメイン扉２２Ａとサブ扉２２Ｂの連結位置の仮想線Ｌを基準とした角度をいう。
【００２１】
このＺ３とＺ４とを比較してもわかるように、テレビ１０の音が届く領域をある程度集音しながらも、ある程度確保したい場合は、サブ扉２２Ｂは開かずにメイン扉２２Ａのみを開いて使用すればよい。またテレビ１０の音をさらに集音したい場合は、サブ扉２２Ｂも開状態とすれば、さらに音の拡がりをメイン扉２２Ａだけでなく、サブ扉２２Ｂでも遮って、テレビ１０が発する音をテレビ１０の前方に集音することができる。
もちろんこの変形例においても、上述の例のようにメイン扉２２Ａ及びサブ扉２２Ｂを閉状態としてもよいし（図３（ｂ）の状態）、場面によっては、左右のいずれか片側のメイン扉２２Ａ及びサブ扉２２Ｂを開状態とし、他方のメイン扉２２Ａ及びサブ扉２２Ｂを閉状態としてもよい。
【００２２】
図５（ａ）〜（ｃ）には、扉本体２２の回動状態、詳しくはメイン扉２２Ａとサブ扉２２Ｂの回動状態を時系列に示しており、縦型フロアユニット２を平面視した図である。
図５（ａ）は、扉本体２２が閉じられた状態を示している。
このようにメイン扉２２Ａとサブ扉２２Ｂとを備えた２枚の扉本体２２は、連結蝶番２４によって２枚を重ねた状態で開口部２ａを塞ぐことができる。
扉本体２２を開けるときには、図５（ｂ）に示すように、まずメイン扉２２Ａとサブ扉２２Ｂとを重ねた状態で扉本体２２を開く。そしてさらにサブ扉２２Ｂも開く際には、図５（ｃ）に示すようにサブ扉２２Ｂの戸先２２Ｂａを持ってメイン扉２２Ａの前方向にサブ扉２２Ｂを移動させる。
【００２３】
以上によれば、扉本体２２はメイン扉２２Ａとサブ扉２２Ｂとを備えているので、状況にあわせて集音調整をすることができる。すなわち、メイン扉２２Ａを開状態にするとともに、さらにサブ扉２２Ｂも開状態とすれば、扉本体２２の面積を拡大することができ、集音効果を高めることができる。そしてサブ扉２２Ｂは、全開すればメイン扉２２Ａとサブ扉２２Ｂとが平坦な面となる位置まで開くことができるので、そのように使用してもよい。しかしながら、図４に示すようにメイン扉２２Ａの開き角度ｂが約８０度、サブ扉２２Ｂの開き角度ｃが約１０５度とすれば、テレビ１０の音を扉本体２２で遮音しながら、テレビ１０の前に音を集音することができる。
このように音が集音できれば、小さい音量でもテレビ１０の音を聴き取ることができ、例えばキッチンの作業音が響くような場合でも、集音効果によって音量を上げずに聴き取ることができる。
またこのように連結蝶番２４によって回動自在とすれば、容易にサブ扉２２Ｂを回動自在に動かすことができ、その開閉角度の調整も容易にできる。
なお、メイン扉２２Ａの開き角度ｂ及びサブ扉２２Ｂの開き角度ｃは、図例に限定されず、適宜調整可能であり、左右の開き角度ｂ，ｃが共通でなくてもよい。
【００２４】
以上の実施形態では、収納家具１、一対の縦型フロアユニット２，２等の構成、形状は図例に限定されない。例えば収納家具１は、床面に据え置くタイプを図示し説明したが、例えば吊施工タイプでもよいし、据え置きタイプと吊施工タイプとを組み合わせた収納家具にも適用可能である。扉本体２２は木質系材料からなるものに限定されず、例えばミラー扉でもよいし、クリア扉でもよく、鏡面加工された化粧扉としてもよい。テレビ１０は壁掛け状態で設置する例に限定されず、上述したように横型フロアユニット４の上面にスタンド置きするようにしてもよい。また音響機器としてテレビ１０を例示したが、これに限定されず、例えばオーディオセットでもよい。そして収納家具１は、横型フロアユニット４、オープンラック５、上積みユニット３のいずれかがなくてもよいし、すべて備えていなくてもよい。少なくともテレビ１０の左右両側に縦型フロアユニット２，２が設置され、縦型フロアユニット２は、その開口部２ａを塞ぐ扉２１を備えていればよい。
【符号の説明】
【００２５】
１        収納家具
１０      音響機器
１０ａ    （音響機器の）前面
２        収納ボックス（縦型フロアユニット）
２ａ      開口部
２１      扉
２２      扉本体
２５      （音響機器側の）端部
【図１】
0005845472.tif 000002
【図２】
0005845472.tif 000003
【図３】
0005845472.tif 000004
【図４】
0005845472.tif 000005
【図５】
0005845472.tif 000006